(57)【要約】  新規データパケットのすべての伝送に対し制御パケットが送信されない無線通信のための方法。制御パケットは、すでに送信されているデータパケットが、完全には受信されていないデータパケットの再送の場合のみ送信される。制御パケットは、すでに送信されているデータパケットに関係する情報を格納する。すでに送信されているデータパケットおよび再送データパケットは、共通データから導出される。共通データは、すでに送信されているデータパケットおよび再送データパケットが一連のデータパケットに関連付けられている状況で、すでに送信されているデータパケットに関係する情報に基づき導出される。
2010501148.tif 000002
【特許請求の範囲】
【請求項１】
無線通信のための方法であって、
すでに送信されているデータパケットに関係する情報を備える制御パケットを受信し、
前記すでに送信されているデータパケットおよび再送データパケットが、共通のデータから導出される状況で、前記再送データパケットを受信し、
前記すでに送信されているデータパケットおよび前記再送データパケットが、第１のデータパケットを備えるデータパケットのシーケンスに関連付けられ、前記第１のデータパケットが関連付けられている制御パケットを有していない状況で、前記すでに送信されているデータパケットに関係する情報に基づき前記共通データを取得することを備える方法。
【請求項２】
前記すでに送信されているデータパケットは、複数のユーザー装置により共有される伝送媒体上で送信され、前記すでに送信されているデータパケットは、特定のユーザー装置に関連付けられている識別情報を備える請求項１に記載の方法。
【請求項３】
さらに、前記すでに送信されているデータパケットの完全なバージョンの取り出しに成功した場合に、肯定応答メッセージを送信することを備える請求項１に記載の方法。
【請求項４】
さらに、前記肯定応答メッセージを送信することは、アップリンクチャネルで肯定応答パケットを送信することを備える請求項３に記載の方法。
【請求項５】
前記アップリンクチャネルは、高速ダウンリンクパケットアクセス（ＨＳＤＰＡ）アップリンクチャネルである請求項４に記載の方法。
【請求項６】
前記すでに送信されているデータパケットに関係する前記情報は、データパケットの前記シーケンス内の前記すでに送信されているデータパケットのロケーションを識別するポインタを備える請求項１に記載の方法。
【請求項７】
データパケットの前記シーケンス内の前記すでに送信されているデータパケットの前記ロケーションは、一時的ロケーションである請求項６に記載の方法。
【請求項８】
前記ポインタは、前記すでに送信されているデータパケットを識別するために前記再送データパケットからの相対的ロケーションのオフセットを備える請求項６に記載の方法。
【請求項９】
前記オフセットは、複数のビットを備える請求項８に記載の方法。
【請求項１０】
前記制御パケットは、スロット番号を備える請求項１に記載の方法。
【請求項１１】
前記制御パケットは、変調方式を示すものを備える請求項１に記載の方法。
【請求項１２】
前記再送データパケットは、前記すでに送信されているデータパケットと同一である請求項１に記載の方法。
【請求項１３】
前記再送データパケットは、特定のブロックサイズを有し、前記制御パケットは、さらに、前記再送データパケットの特定のブロックサイズを指定するトランスポートブロックサイズを備える請求項１に記載の方法。
【請求項１４】
前記トランスポートブロックサイズは、４つの異なる可能なブロックサイズのうちから選択される請求項１３に記載の方法。
【請求項１５】
前記制御パケットは、さらに、前記再送データパケットに関連付けられている再送試行回数を識別する再送インジケータを備える請求項１に記載の方法。
【請求項１６】
前記制御パケットは、高速ダウンリンク共有制御チャネル（ＨＳ−ＳＣＣＨ）チャネル上で送信される請求項１に記載の方法。
【請求項１７】
さらに、不連続受信（ＤＲＸ）モードを有効にするためのコマンドを受信することを備える請求項１に記載の方法。
【請求項１８】
さらに、不連続送信（ＤＴＸ）モードを有効にするためのコマンドを受信することを備える請求項１に記載の方法。
【請求項１９】
無線通信のための装置であって、
すでに送信されているデータパケットに関係する情報を備える制御パケットを受信するための手段と、
前記すでに送信されているデータパケットおよび再送データパケットが共通のデータから導出される状況で、前記再送データパケットを受信するための手段と、
前記すでに送信されているデータパケットおよび前記再送データパケットが第１のデータパケットを備えるデータパケットのシーケンスに関連付けられ、前記第１のデータパケットが関連付けられている制御パケットを有していない状況で、前記すでに送信されているデータパケットに関係する情報に基づき前記共通データを取得するための手段とを備える装置。
【請求項２０】
前記すでに送信されているデータパケットは、複数のユーザー装置により共有される伝送媒体上で送信され、前記すでに送信されているデータパケットは、特定のユーザー装置に関連付けられている識別情報を備える請求項１９に記載の装置。
【請求項２１】
さらに、前記すでに送信されているデータパケットの完全なバージョンの取り出しに成功した場合に肯定応答メッセージを送信するための手段を備える請求項１９に記載の装置。
【請求項２２】
さらに、前記肯定応答メッセージを送信するための手段は、アップリンクチャネルで肯定応答パケットを送信するための手段を備える請求項２１に記載の装置。
【請求項２３】
前記アップリンクチャネルは、高速ダウンリンクパケットアクセス（ＨＳＤＰＡ）アップリンクチャネルである請求項２２に記載の装置。
【請求項２４】
前記すでに送信されているデータパケットに関係する前記情報は、データパケットの前記シーケンス内の前記すでに送信されているデータパケットのロケーションを識別するポインタを備える請求項１９に記載の装置。
【請求項２５】
データパケットの前記シーケンス内の前記すでに送信されているデータパケットの前記ロケーションは、一時的ロケーションである請求項２４に記載の装置。
【請求項２６】
前記ポインタは、前記すでに送信されているデータパケットを識別するために前記再送データパケットからの相対的ロケーションのオフセットを備える請求項２４に記載の装置。
【請求項２７】
前記オフセットは、複数のビットを備える請求項２６に記載の装置。
【請求項２８】
前記制御情報は、スロット番号を備える請求項１９に記載の装置。
【請求項２９】
前記制御情報は、変調方式を示すものを備える請求項１９に記載の装置。
【請求項３０】
前記再送データパケットは、前記すでに送信されているデータパケットと同一である請求項１９に記載の装置。
【請求項３１】
前記再送データパケットは、特定のブロックサイズを有し、前記制御パケットは、さらに、前記再送データパケットの特定のブロックサイズを指定するトランスポートブロックサイズを備える請求項１９に記載の装置。
【請求項３２】
前記トランスポートブロックサイズは、４つの異なる可能なブロックサイズのうちから選択される請求項３１に記載の装置。
【請求項３３】
前記制御パケットは、さらに、前記再送データパケットに関連付けられている再送試行回数を識別する再送インジケータを備える請求項１９に記載の装置。
【請求項３４】
前記制御パケットは、高速ダウンリンク共有制御チャネル（ＨＳ−ＳＣＣＨ）チャネル上で送信される請求項１９に記載の装置。
【請求項３５】
さらに、不連続受信（ＤＲＸ）モードを有効にするためのコマンドを受信するための手段を備える請求項１９に記載の装置。
【請求項３６】
さらに、不連続送信（ＤＴＸ）モードを有効にするためのコマンドを受信するための手段を備える請求項１９に記載の装置。
【請求項３７】
無線通信のための装置であって、
すでに送信されているデータパケットおよび再送データパケットが共通データから導出される状況で、前記すでに送信されているデータパケットに関係する情報を備える制御パケットと前記再送データパケットとを受信するように構成された復調器と、
前記すでに送信されているデータパケットおよび前記再送データパケットが第１のデータパケットを備えるデータパケットのシーケンスに関連付けられ、前記第１のデータパケットがそれに関連付けられている制御パケットを有していない状況で、前記復調器に結合されている、前記すでに送信されているデータパケットに関係する前記情報に基づき前記共通データを取得するように構成された受信データプロセッサとを備える装置。
【請求項３８】
前記すでに送信されているデータパケットは、複数のユーザー装置により共有される伝送媒体上で送信され、前記すでに送信されているデータパケットは、特定のユーザー装置に関連付けられている識別情報を備える請求項３７に記載の装置。
【請求項３９】
さらに、前記すでに送信されているデータパケットの完全なバージョンの取り出しに成功した場合に肯定応答メッセージを送信するように構成された送信機を備える請求項３７に記載の装置。
【請求項４０】
前記送信機は、アップリンクチャネルで肯定応答パケットを送信する請求項３９に記載の装置。
【請求項４１】
前記アップリンクチャネルは、高速ダウンリンクパケットアクセス（ＨＳＤＰＡ）アップリンクチャネルである請求項４０に記載の装置。
【請求項４２】
前記すでに送信されているデータパケットに関係する前記情報は、データパケットの前記シーケンス内の前記すでに送信されているデータパケットのロケーションを識別するポインタを備える請求項３７に記載の装置。
【請求項４３】
データパケットの前記シーケンス内の前記すでに送信されているデータパケットの前記ロケーションは、一時的ロケーションである請求項４２に記載の装置。
【請求項４４】
前記ポインタは、前記すでに送信されているデータパケットを識別するために前記再送データパケットからの相対的ロケーションのオフセットを備える請求項４２に記載の装置。
【請求項４５】
前記オフセットは、複数のビットを備える請求項４４に記載の装置。
【請求項４６】
前記制御情報は、スロット番号を備える請求項３７に記載の装置。
【請求項４７】
前記制御情報は、変調方式を示すものを備える請求項３７に記載の装置。
【請求項４８】
前記再送データパケットは、前記すでに送信されているデータパケットと同一である請求項３７に記載の装置。
【請求項４９】
前記再送データパケットは、特定のブロックサイズを有し、前記制御パケットは、さらに、前記再送データパケットの特定のブロックサイズを指定するトランスポートブロックサイズを備える請求項３７に記載の装置。
【請求項５０】
前記トランスポートブロックサイズは、４つの異なる可能なブロックサイズのうちから選択される請求項４９に記載の装置。
【請求項５１】
前記制御パケットは、さらに、前記再送データパケットに関連付けられている再送試行回数を識別する再送インジケータを備える請求項３７に記載の装置。
【請求項５２】
前記制御パケットは、高速ダウンリンク共有制御チャネル（ＨＳ−ＳＣＣＨ）チャネル上で送信される請求項３７に記載の装置。
【請求項５３】
前記復調器は、さらに、不連続受信（ＤＲＸ）モードを有効にするためのコマンドを受信するように構成されている請求項３７に記載の装置。
【請求項５４】
前記復調器は、さらに、不連続送信信（ＤＴＸ）モードを有効にするためのコマンドを受信するように構成されている請求項３７に記載の装置。
【請求項５５】
無線通信のためのコンピュータプログラム製品であって、
前記すでに送信されているデータパケットおよび再送データパケットが共通データから導出される状況で、前記再送データパケットを受信し、
前記すでに送信されているデータパケットおよび前記再送データパケットが第１のデータパケットを備えるデータパケットのシーケンスに関連付けられ、前記第１のデータパケットが関連付けられている制御パケットを有していない状況で、前記すでに送信されているデータパケットに関係する情報に基づき前記共通データを取得するように
コントローラにより実行可能な命令を備える機械可読媒体を備えるコンピュータプログラム製品。
【請求項５６】
ユーザー装置であって、
すでに送信されているデータパケットおよび再送データパケットが共通データから導出される状況で、前記すでに送信されているデータパケットに関係する情報を備える制御パケットと前記再送データパケットとを受信するように構成された復調器と、
前記すでに送信されているデータパケットおよび前記再送データパケットが第１のデータパケットを備えるデータパケットのシーケンスに関連付けられ、前記第１のデータパケットがそれに関連付けられている制御パケットを有していない状況で、前記復調器に結合されている、前記すでに送信されているデータパケットに関係する前記情報に基づき前記共通データを取得するように構成された受信データプロセッサと、
前記受信データプロセッサに結合されている、前記共通データに基づき音声を生成するように構成されたトランスデューサとを備えるユーザー装置。
【請求項５７】
無線通信のための方法であって、
すでに送信されているパケットが送信されたときにはまだ送信されていない、前記すでに送信されているデータパケットに関係する情報を有する制御パケットを送信し、
前記すでに送信されているデータパケットおよび再送データパケットが共通のデータから導出される状況で、前記再送データパケットを送信することを備える方法。
【請求項５８】
さらに、前記再送データパケットと前記すでに送信されているデータパケットとの間に一時的に位置する、前記共通データから導出される第２の再送データパケットを送信することを備える請求項５７に記載の方法。
【請求項５９】
前記情報は、さらに、前記第２の再送パケットにも関係する請求項５８に記載の方法。
【請求項６０】
前記すでに送信されているデータパケットは、複数のユーザー装置により共有される伝送媒体上で送信され、前記すでに送信されているデータパケットは、特定のユーザー装置に関連付けられている識別情報を備える請求項５７に記載の方法。
【請求項６１】
前記再送データパケットは、前記すでに送信されているデータパケットの伝送から所定の期間が経過した後に送信され、肯定応答メッセージは受信されない請求項５７に記載の方法。
【請求項６２】
前記すでに送信されているデータパケットに関係する前記情報は、データパケットのシーケンス内の前記すでに送信されているデータパケットのロケーションを識別するポインタを備える請求項５７に記載の方法。
【請求項６３】
データパケットの前記シーケンス内の前記すでに送信されているデータパケットの前記ロケーションは、一時的ロケーションである請求項６２に記載の方法。
【請求項６４】
前記ポインタは、前記すでに送信されているデータパケットを識別するために前記再送データパケットからの相対的ロケーションのオフセットを備える請求項６２に記載の方法。
【請求項６５】
前記オフセットは、複数のビットを備える請求項６４に記載の方法。
【請求項６６】
前記制御パケットは、スロット番号を備える請求項５７に記載の方法。
【請求項６７】
前記制御パケットは、変調方式を示すものを備える請求項５７に記載の方法。
【請求項６８】
前記再送データパケットは、前記すでに送信されているデータパケットと同一である請求項５７に記載の方法。
【請求項６９】
前記再送データパケットは、特定のブロックサイズを有し、前記制御パケットは、さらに、前記再送データパケットの特定のブロックサイズを指定するトランスポートブロックサイズを備える請求項５７に記載の方法。
【請求項７０】
前記トランスポートブロックサイズは、４つの異なる可能なブロックサイズのうちから選択される請求項６９に記載の方法。
【請求項７１】
前記制御パケットは、さらに、前記再送データパケットに関連付けられている再送試行回数を識別する再送インジケータを備える請求項５７に記載の方法。
【請求項７２】
前記制御パケットは、高速ダウンリンク共有制御チャネル（ＨＳ−ＳＣＣＨ）チャネル上で送信される請求項５７に記載の方法。
【請求項７３】
さらに、不連続受信（ＤＲＸ）モードを有効にするためのコマンドを送信することを備える請求項５７に記載の方法。
【請求項７４】
さらに、不連続送信（ＤＴＸ）モードを有効にするためのコマンドを送信することを備える請求項５７に記載の方法。
【請求項７５】
無線通信のための装置であって、
すでに送信されているパケットが送信されたときにはまだ送信されていない、前記すでに送信されているデータパケットに関係する情報を有する制御パケットを送信するための手段と、
前記すでに送信されているデータパケットおよび再送データパケットが共通のデータから導出される状況で、前記再送データパケットを送信するための手段とを備える装置。
【請求項７６】
さらに、前記再送データパケットと前記すでに送信されているデータパケットとの間に一時的に位置する、前記共通データから導出される第２の再送データパケットを送信するための手段を備える請求項７５に記載の装置。
【請求項７７】
前記情報は、さらに、前記第２の再送パケットにも関係する請求項７６に記載の装置。
【請求項７８】
前記すでに送信されているデータパケットは、複数のユーザー装置により共有される伝送媒体上で送信され、前記すでに送信されているデータパケットは、特定のユーザー装置に関連付けられている識別情報を備える請求項７５に記載の装置。
【請求項７９】
前記再送データパケットは、前記すでに送信されているデータパケットの伝送から所定の期間が経過した後に送信され、肯定応答メッセージは受信されない請求項７５に記載の装置。
【請求項８０】
前記すでに送信されているデータパケットに関係する前記情報は、データパケットのシーケンス内の前記すでに送信されているデータパケットのロケーションを識別するポインタを備える請求項７５に記載の装置。
【請求項８１】
データパケットの前記シーケンス内の前記すでに送信されているデータパケットの前記ロケーションは、一時的ロケーションである請求項８０に記載の装置。
【請求項８２】
前記ポインタは、前記すでに送信されているデータパケットを識別するために前記再送データパケットからの相対的ロケーションのオフセットを備える請求項８０に記載の装置。
【請求項８３】
前記オフセットは、複数のビットを備える請求項８２に記載の装置。
【請求項８４】
前記制御パケットは、スロット番号を備える請求項７５に記載の装置。
【請求項８５】
前記制御パケットは、変調方式を示すものを備える請求項７５に記載の装置。
【請求項８６】
前記再送データパケットは、前記すでに送信されているデータパケットと同一である請求項７５に記載の装置。
【請求項８７】
前記再送データパケットは、特定のブロックサイズを有し、前記制御パケットは、さらに、前記再送データパケットの特定のブロックサイズを指定するトランスポートブロックサイズを備える請求項７５に記載の装置。
【請求項８８】
前記トランスポートブロックサイズは、４つの異なる可能なブロックサイズのうちから選択される請求項８７に記載の装置。
【請求項８９】
前記制御パケットは、さらに、前記再送データパケットに関連付けられている再送試行回数を識別する再送インジケータを備える請求項７５に記載の装置。
【請求項９０】
前記制御パケットは、高速ダウンリンク共有制御チャネル（ＨＳ−ＳＣＣＨ）チャネル上で送信される請求項７５に記載の装置。
【請求項９１】
さらに、不連続受信（ＤＲＸ）モードを有効にするためのコマンドを送信するための手段を備える請求項７５に記載の装置。
【請求項９２】
さらに、不連続送信（ＤＴＸ）モードを有効にするためのコマンドを送信するための手段を備える請求項７５に記載の装置。
【請求項９３】
無線通信のための装置であって、
すでに送信されているパケットが送信されたときにはまだ送信されていない、前記すでに送信されているデータパケットに関係する情報を有する制御パケットと、
前記すでに送信されているデータパケットおよび再送データパケットが共通のデータから導出される、前記再送データパケットとを
送信するように構成された送信機を備える装置。
【請求項９４】
前記送信機は、前記再送データパケットと前記すでに送信されているデータパケットとの間に一時的に位置する、前記共通データから導出される第２の再送データパケットを送信するように構成されている請求項９３に記載の装置。
【請求項９５】
前記情報は、さらに、前記第２の再送パケットにも関係する請求項９４に記載の装置。
【請求項９６】
前記すでに送信されているデータパケットは、複数のユーザー装置により共有される伝送媒体上で送信され、前記すでに送信されているデータパケットは、特定のユーザー装置に関連付けられている識別情報を備える請求項９３に記載の装置。
【請求項９７】
前記再送データパケットは、前記すでに送信されているデータパケットの伝送から所定の期間が経過した後に送信され、肯定応答メッセージは受信されない請求項９３に記載の装置。
【請求項９８】
前記すでに送信されているデータパケットに関係する前記情報は、データパケットのシーケンス内の前記すでに送信されているデータパケットのロケーションを識別するポインタを備える請求項９３に記載の装置。
【請求項９９】
データパケットの前記シーケンス内の前記すでに送信されているデータパケットの前記ロケーションは、一時的ロケーションである請求項９８に記載の装置。
【請求項１００】
前記ポインタは、前記すでに送信されているデータパケットを識別するために前記再送データパケットからの相対的ロケーションのオフセットを備える請求項９８に記載の装置。
【請求項１０１】
前記オフセットは、複数のビットを備える請求項１００に記載の装置。
【請求項１０２】
前記制御パケットは、スロット番号を備える請求項９３に記載の装置。
【請求項１０３】
前記制御パケットは、変調方式を示すものを備える請求項９３に記載の装置。
【請求項１０４】
前記再送データパケットは、前記すでに送信されているデータパケットと同一である請求項９３に記載の装置。
【請求項１０５】
前記再送データパケットは、特定のブロックサイズを有し、前記制御パケットは、さらに、前記再送データパケットの特定のブロックサイズを指定するトランスポートブロックサイズを備える請求項９３に記載の装置。
【請求項１０６】
前記トランスポートブロックサイズは、４つの異なる可能なブロックサイズのうちから選択される請求項１０５に記載の装置。
【請求項１０７】
前記制御パケットは、さらに、前記再送データパケットに関連付けられている再送試行回数を識別する再送インジケータを備える請求項９３に記載の装置。
【請求項１０８】
前記制御パケットは、高速ダウンリンク共有制御チャネル（ＨＳ−ＳＣＣＨ）チャネル上で送信される請求項９３に記載の装置。
【請求項１０９】
さらに、不連続受信（ＤＲＸ）モードを有効にするためのコマンドを送信することを備える請求項９３に記載の装置。
【請求項１１０】
さらに、不連続送信（ＤＴＸ）モードを有効にするためのコマンドを送信することを備える請求項９３に記載の装置。
【請求項１１１】
無線通信のためのコンピュータプログラム製品であって、
すでに送信されているパケットが送信されたときにはまだ送信されていない、前記すでに送信されているデータパケットに関係する情報を有する制御パケットを送信し、
前記すでに送信されているデータパケットおよび再送データパケットが共通のデータから導出される状況で、前記再送データパケットを送信するように
コントローラにより実行可能な命令を備える機械可読媒体を備えるコンピュータプログラム製品。
【請求項１１２】
アンテナと、
すでに送信されているパケットが送信されたときには、まだ送信されていない、前記すでに送信されているデータパケットに関係する情報を有する前記アンテナを伴う制御パケットと、前記すでに送信されているデータパケットおよび再送データパケットが共通のデータから導出される、前記アンテナを伴う前記再送データパケットとを、前記アンテナを介して、送信するように構成された送信機とを備えるＮｏｄｅ  Ｂ。
【発明の詳細な説明】
【技術分野】
【０００１】
米国特許法第１１９条に基づく優先権主張
本特許出願は、２００６年８月１７日に出願され、譲受人に譲渡され、参照により本明細書に組み込まれている、「ＭＥＴＨＯＤ  ＡＮＤ  ＡＰＰＡＲＡＴＵＳ  ＦＯＲ  ＬＯＷ−ＯＶＥＲＨＥＡＤ  ＰＡＣＫＥＴ  ＤＡＴＡ  ＴＲＡＮＳＭＩＳＳＩＯＮ  ＡＮＤ  ＣＯＮＴＲＯＬ  ＯＦ  ＤＲＸ」という表題の仮出願第６０／８３８，５８６号の優先権を主張するものである。
【０００２】
本開示態様は、一般的に通信に関するものであり、より具体的には、受信モードの低オーバーヘッドパケットデータ伝送および制御のための方法および装置に関するものである。
【背景技術】
【０００３】
無線多元接続通信システムは、多数のユーザー装置（ＵＥ）の通信をサポートする多数のＮｏｄｅ  Ｂ（または基地局）を備えることができる。Ｎｏｄｅ  Ｂは、ダウンリンクとアップリンクで複数のＵＥと通信することができる。ダウンリンク（または順方向リンク）とは、Ｎｏｄｅ  ＢからＵＥへの通信リンクのことであり、アップリンク（または逆方向リンク）とは、ＵＥからＮｏｄｅ  Ｂへの通信リンクのことである。
【０００４】
ダウンリンクでは、Ｎｏｄｅ  Ｂは、専用データチャネルおよび／または共有データチャネルを使用して、データを複数のＵＥに送信することができる。専用データチャネルは、特定のＵＥに割り当てられているデータチャネルであり、そのＵＥにのみデータを送信するために使用される。共有データチャネルは、複数のＵＥにより共有されるデータチャネルであり、いついかなるときも１つまたは複数のＵＥに対しデータを伝送することができる。データチャネルは、データを送信するための機構であり、システムによって使用される無線技術に依存しうる。例えば、符号分割多元接続（ＣＤＭＡ）システムでは、データチャネルは、特定のチャネライゼーションコード(channelization code)、例えば、特定のウォルシュコードに関連付けられうる。
【０００５】
Ｎｏｄｅ  Ｂでは、共有データチャネルを使用してさまざまな利益をもたらすことができる。共有データチャネルを使用すると、それぞれのＵＥに対し、必要に応じて、またそのＵＥにちょうど必要なだけの無線リソースを使用して、サービスを提供することができるため、利用可能な無線リソースの利用効率が改善されうる。また共有データチャネルは、１つのＵＥに対しその共有データチャネルに利用可能なすべての無線リソースが潜在的に使用されうるため、複数のＵＥに対しより高いピークデータ転送速度をサポートすることもできる。また、共有データチャネルを使用すると、ダウンリンク上のデータ伝送についてＵＥを柔軟にスケジューリングすることができる。
【０００６】
Ｎｏｄｅ  Ｂは、共有データチャネルがどのように使用されるかを伝えるシグナリング(signaling)を、共有データチャネルと並行して共有制御チャネルで送信することができる。例えば、このシグナリングは、どの（複数の）ＵＥがサービスを受けているか、サービスを受けているそれぞれのＵＥに割り当てられている無線リソース、データはどのようにそれぞれのＵＥに送信されるか、などを伝達することができる。共有データチャネルの動的な性質から、共有データチャネルでデータを潜在的に受信する可能性があるＵＥは、ＵＥに対しデータが送信されているかどうかを判定するために、共有制御チャネルを連続的に監視することができる。共有制御チャネル上でシグナリングを受信するそれぞれのＵＥは、ＵＥに送信されたデータを復元するために受信されたシグナリングに基づき共有データチャネルを処理することができる。しかし、共有制御チャネルは、共有データチャネルにとってはオーバーヘッドである。
【発明の概要】
【０００７】
したがって、この分野では、共有チャネルのオーバーヘッドを低減する必要性がある。
【０００８】
本明細書で開示されている態様では、新規送信の場合には制御チャネルのシグナリングの送信を行わず、再送の場合にのみ制御チャネルのシグナリングを送信するシステムを構築することにより上記の必要性に応える。また、所定の間隔で電源を切ることができるようにＵＥに対し不連続受信モードが生成される。
【０００９】
本明細書では、無線通信システムにおいて効率的なデータ送受信を行う技術が、説明される。一態様によれば、無線通信の方法は、すでに送信されているデータパケットに関係する情報を含む制御パケットを受信し、すでに送信されているデータパケットおよび再送データパケットが共通のデータから導出される状況で、再送データパケットを受信し、すでに送信されているデータパケットおよび再送データパケットが第１のデータパケットを含む一連のデータパケットに関連付けられ、第１のデータパケットが一緒に送信された制御パケットを有していない状況で、すでに送信されているデータパケットに関係する情報に基づき共通データを取得することを含む。
【００１０】
他の態様によれば、無線通信の方法は、すでに送信されているパケットが送信されたときにはまだ送信されていない、すでに送信されているパケットに関係する情報を有する制御パケットを送信し、すでに送信されているデータパケットおよび第２のパケットが共通のデータから導出される状況で、データパケットを送信することを含む。
【００１１】
さらに他の態様によれば、ユーザー装置は、すでに送信されているデータパケットに関係する情報を含む制御パケットを受信するための手段と、すでに送信されているデータパケットおよび再送データパケットが共通のデータから導出される状況で、再送データパケットを受信するための手段と、すでに送信されているデータパケットおよび再送データパケットが第１のデータパケットを含むデータパケットのシーケンスに関連付けられ、第１のデータパケットがそれと関連付けられている制御パケットを有していない状況で、すでに送信されているデータパケットに関係する情報に基づき共通データを取得するための手段とを備える。
【００１２】
さらに他の態様では、無線通信用のコンピュータプログラム製品は、すでに送信されているデータパケットおよび再送データパケットが共通データから導出される状況で、再送データパケットを受信し、すでに送信されているデータパケットおよび再送データパケットが第１のデータパケットを含むデータパケットのシーケンスに関連付けられ、第１のデータパケットがそれに関連付けられている制御パケットを有していない状況で、すでに送信されているデータパケットに関係する情報に基づき共通データを取得するように、コントローラにより実行可能な命令を有する機械可読媒体を備える。
【００１３】
さらに他の態様によれば、ユーザー装置は、すでに送信されているデータパケットに関係する情報を有する制御パケットを受信するように構成されている復調器と、すでに送信されているデータパケットおよび再送データパケットが共通のデータから導出される、再送データパケットと、すでに送信されているデータパケットおよび再送データパケットが第１のデータパケットを含むデータパケットのシーケンスに関連付けられ、第１のデータパケットがそれに関連付けられている制御パケットを有していない状況で、復調器に結合されている、すでに送信されているデータパケットに関係する情報に基づき共通データを取得するように構成された受信データプロセッサと、受信データプロセッサに結合されている、共通データに基づき音声を生成するように構成されたトランスデューサとを備える。
【００１４】
さらに他の態様によれば、無線通信の方法は、すでに送信されているパケットが送信されたときにはまだ送信されていない、すでに送信されているデータパケットに関係する情報を有する制御パケットを送信し、すでに送信されているデータパケットおよび再送データパケットが共通のデータから導出される状況で、再送データパケットを送信することを含む。
【００１５】
さらに他の態様によれば、無線通信のための装置は、すでに送信されているパケットが送信されたときにはまだ送信されていない、すでに送信されているデータパケットに関係する情報を有する制御パケットを送信するための手段と、すでに送信されているデータパケットおよび再送データパケットが共通のデータから導出される状況で、再送データパケットを送信するための手段とを備える。
【００１６】
さらに他の態様によれば、無線通信のための装置は、すでに送信されているパケットが送信されたときにはまだ送信されていない、すでに送信されているデータパケットに関係する情報を有する制御パケットを送信し、すでに送信されているデータパケットおよび再送データパケットが共通のデータから導出される状況で、再送データパケットを送信するように構成された送信機とを備える。
【００１７】
さらに他の態様によれば、無線通信のためのコンピュータプログラム製品は、すでに送信されているパケットが送信されたときにはまだ送信されていない、すでに送信されているデータパケットに関係する情報を有する制御パケットを送信し、すでに送信されているデータパケットおよび再送データパケットが共通のデータから導出される状況で、再送データパケットを送信するように、コントローラにより実行可能な命令を有する機械可読媒体を含む。
【００１８】
さらに他の態様によれば、Ｎｏｄｅ  Ｂは、アンテナとこのアンテナに結合されている、すでに送信されているパケットが送信されたときにはまだ送信されていない、すでに送信されているデータパケットに関係する情報を有する制御パケットをこのアンテナを使用して送信し、すでに送信されているデータパケットおよび再送データパケットが共通のデータから導出される状況で、再送データパケットをこのアンテナを使用して送信するように構成されている送信機とを備える。
【図面の簡単な説明】
【００１９】
【図１】無線通信システムを示すネットワーク図。
【図２】Ｎｏｄｅ  ＢおよびＵＥを示すブロック図。
【図３】Ｗ−ＣＤＭＡのフレームフォーマットを示す図。
【図４】ＨＳＤＰＡでＨＡＲＱを使用するＵＥの伝送を示す図。
【図５】ＨＳＤＰＡにおける複数のＵＥの伝送を示す図。
【図６】パラメータを割り当てられているＵＥの伝送を示す図。
【図７】パラメータを割り当てられている複数のＵＥの伝送を示す図。
【図８】Ｎｏｄｅ  ＢにおけるＴＸデータプロセッサおよび変調器を示す図。
【図９】ＵＥにおける復調器およびＲＸデータプロセッサを示す図。
【図１０】シグナリングなしでデータ伝送のプロセスを示す図。
【図１１】シグナリングなしでデータ受信のプロセスを示す図。
【図１２】Ｎｏｄｅ  Ｂにおいてシグナリングなしでデータ伝送を実行するコントローラを示す図。
【図１３】ＵＥにおいてシグナリングなしでデータ受信を実行するコントローラを示す図。
【発明を実施するための形態】
【００２０】
本開示のさまざまな態様について以下で説明する。便宜上、本開示の１つまたは複数の態様を、本明細書では単に、「一態様」、「態様」、または「いくつかの態様」と呼ぶことがある。本明細書の教示は、さまざまな形態で具現化され、本明細書で開示されている特定の構造、機能、またはその両方は、単に代表するものにすぎないことは明らかであろう。本明細書の教示に基づき、当業者は、本明細書に開示されている一態様が、他の態様と独立して実装され、またこれらの態様のうち２つまたはそれ以上をさまざまな方法で組み合わせられることを理解するであろう。例えば、本明細書で述べた任意の数の態様を使用して、装置を実装したり、または方法を実施したりすることができる。それに加えて、他の構造、機能、または本明細書で述べられている態様のうちの１つまたは複数のものに加えた、またはそれら以外の構造と機能を使用して、そのような装置を実装したり、またはそのような方法を実施したりすることができる。
【００２１】
図１は、複数のＮｏｄｅ  Ｂ  １１０および複数のＵＥ  １２０を備える無線通信システム１００を示している。Ｎｏｄｅ  Ｂは、一般的に、ＵＥと通信する固定局であり、また基地局、ｅＮｏｄｅ  Ｂ（ｅｎｈａｎｃｅｄ  Ｎｏｄｅ  Ｂ）、アクセスポイントなどと呼ぶことができる。それぞれのＮｏｄｅ  Ｂ  １１０は、特定の地理的地域に対する通信圏を有し、通信エリア内に置かれているＵＥ向けの通信をサポートする。システムコントローラ１３０は、複数のＮｏｄｅ  Ｂ  １１０に結合し、それらのＮｏｄｅ  Ｂの協調制御を行う。システムコントローラ１３０は、単一ネットワークエンティティ(network entity)またはネットワークエンティティの集合体とすることができる。例えば、システムコントローラ１３０は、無線ネットワークコントローラ（ＲＮＣ）、移動交換局（ＭＳＣ）などを備えることができる。
【００２２】
ＵＥ  １２０は、システム全体に分散させることができ、またそれぞれのＵＥは固定されたものでも移動できるものでもよい。ＵＥは、さらに、移動局、端末、アクセス端末、加入者ユニット、局などと呼ばれうる。ＵＥは、携帯電話、パーソナルデジタルアシスタント（ＰＤＡ）、無線通信デバイス、ハンドヘルドデバイス、無線モデム、ラップトップコンピュータなどとすることができる。ＵＥは、Ｎｏｄｅ  Ｂと能動的に通信するか、またはＮｏｄｅ  Ｂからパイロットおよびシグナリングのみを受信することができる。「ＵＥ」および「ユーザー」という用語は、本明細書では、互いに取り替えて使用できる。
【００２３】
図２は、Ｎｏｄｅ  Ｂ  １１０およびＵＥ  １２０のブロック図を示しており、これらは図１の複数のＮｏｄｅ  Ｂのうちの１つ、および複数のＵＥのうちの１つである。Ｎｏｄｅ  Ｂ  １１０で、送信（ＴＸ）データプロセッサ２１０は、データソース（図には示されていない）からのトラヒックデータおよびコントローラ／プロセッサ２４０からのシグナリングを受信し、そのトラヒックデータおよびシグナリングを処理（例えば、フォーマット、符号化、インターリーブ、およびシンボルマップ）して、データシンボルおよびシグナリングシンボルを形成する。変調器２２０は、システムにより指定されているようにデータおよびシグナリングシンボルを処理し、出力チップを出す。送信機（ＴＭＴＲ）２２２は、出力チップを処理し（例えば、アナログに変換し、増幅し、フィルタリングし、高い周波数に変換し）、アンテナ２２４から送信される、ダウンリンク信号を生成する。
【００２４】
ＵＥ  １２０で、アンテナ２５２は、Ｎｏｄｅ  Ｂ  １１０からダウンリンク信号を受信し、受信信号を受信機（ＲＣＶＲ）２５４に送る。受信機２５４は、受信信号を調節し（例えば、フィルタリングし、増幅し、低い周波数に変換し、デジタイズし）、受信サンプルを供給する。復調器（Ｄｅｍｏｄ）２６０は、変調器２２０による処理に対し補完的な方法で受信サンプルを処理し、シンボル推定を行う。受信（ＲＸ）データプロセッサ２７０は、シンボル推定を処理（例えば、シンボル逆マッピング、逆インターリーブ、復号化）し、ＵＥ  １１０に対し復号化されたデータを供給する。
【００２５】
アップリンクのときに、ＵＥ  １２０では、データおよびシグナリングは、ＴＸデータプロセッサ２９０により処理され、変調器２９２により変調され、送信機２９４により調節され、アンテナ２５２を介して送信される。Ｎｏｄｅ  Ｂ  １１０では、ＵＥ  １２０および他のＵＥからのアップリンク信号は、アンテナ２２４により受信され、受信機２３０により調節され、復調器２３２により復調され、ＲＸデータプロセッサ２３４により処理され、ＵＥにより送信されたデータおよびシグナリングを復元する。一般に、アップリンク伝送に対する処理は、ダウンリンク伝送に対する処理と類似であるか、または異なる場合がある。
【００２６】
コントローラ２４０および２８０は、それぞれ、Ｎｏｄｅ  Ｂ  １１０およびＵＥ  １２０における動作を指令する。メモリ２４２および２８２は、それぞれ、Ｎｏｄｅ  Ｂ  １１０およびＵＥ  １２０用のデータおよびプログラムコードを格納する。
【００２７】
本明細書で説明されている技術は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システムなどのさまざまな無線通信システムに使用することができる。「システム」および「ネットワーク」という用語は、互いに取り替えて使用されることが多い。ＣＤＭＡシステムは、広帯域ＣＤＭＡ（Ｗ−ＣＤＭＡ）、ｃｄｍａ２０００などの無線技術を利用することができる。ｃｄｍａ２０００は、ＩＳ−２０００、ＩＳ−８５６、およびＩＳ−９５標準に対応している。ＴＤＭＡシステムでは、グローバル移動体通信システム（ＧＳＭ）などの無線技術を使用することができる。これらのさまざまな無線技術および標準は、当業で知られている。Ｗ−ＣＤＭＡおよびＧＳＭは、「第三世代パートナーシッププロジェクト」（３ＧＰＰ）という名前の組織から出されている文書において説明されている。ｃｄｍａ２０００は、「第三世代パートナーシッププロジェクト２」（３ＧＰＰ２）という名前の組織から出されている文書において説明されている。わかりやすくするため、これらの技術は、以下では、Ｗ−ＣＤＭＡシステムにおけるダウンリンク伝送について説明されている。しかし、本明細書で説明されている技術は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１、８０２．１６（ＷｉＭＡＸ）、および８０２．２０などの他の標準に準拠して実装することが可能である。
【００２８】
Ｗ−ＣＤＭＡでは、ＵＥに対するデータは、上位層において１つまたは複数のトランスポートチャネルとして処理される。トランスポートチャネルは、１つまたは複数のサービスに対するデータ、例えば、音声、ビデオ、パケットデータ、ゲーミングなどを伝送することができる。トランスポートチャネルは、物理レイヤーにおける物理チャネルにマッピングされる。物理チャネルは、異なるチャネライゼーションコードでチャネル化され、コード領域内では互いに直交する。
【００２９】
３ＧＰＰリリース５以降は、ダウンリンク上で高速パケットデータ伝送を可能にする一組のチャネルおよびプロシージャである、高速ダウンリンクパケットアクセス（ＨＳＤＰＡ）をサポートしている。ＨＳＤＰＡでは、Ｎｏｄｅ  Ｂは、時間と符号の両方についてすべてのＵＥにより共有されるダウンリンクトランスポートチャネルである、高速ダウンリンク共有チャネル（ＨＳ−ＤＳＣＨ）でデータを送信する。ＨＳ−ＤＳＣＨは、所定の伝送時間間隔（ＴＴＩ）で１つまたは複数のＵＥに対しデータを伝送することができる。ＴＴＩは、ＨＳＤＰＡでは１サブフレームに等しく、ＵＥがスケジューリングされ、サービスを受けることができる最小時間単位である。ＨＳ−ＤＳＣＨの共有は、動的であり、ＴＴＩ毎に変化しうる。
【００３０】
表１は、ＨＳＤＰＡに使用されるいくつかのダウンリンクおよびアップリンクの物理チャネルの一覧であり、それぞれの物理チャネルについて簡単に説明した表である。 
【表１】
2010501148.tif 000003
【００３１】
ＨＳＤＰＡでは、Ｎｏｄｅ  Ｂは、ＨＳ−ＰＤＳＣＨに対し拡散率１６（ＳＦ＝１６）を持つ最大１５個までの１６チップチャネライゼーションコードを使用することができる。Ｎｏｄｅ  Ｂは、さらに、ＨＳ−ＳＣＣＨに対し拡散率１２８（ＳＦ＝１２８）を持つ任意の個数の１２８チップチャネライゼーションコードを使用することもできる。ＨＳ−ＰＤＳＣＨに対する１６チップチャネライゼーションコードの個数およびＨＳ−ＳＣＣＨに対する１２８チップチャネライゼーションコードの個数は、構成可能である。ＨＳ−ＰＤＳＣＨおよびＨＳ−ＳＣＣＨに対するチャネライゼーションコードは、構造化された方法で生成されうる直交可変拡散率（ＯＶＳＦ）符号である。拡散率（ＳＦ）は、チャネライゼーションコードの長さである。長さＳＦのチャネライゼーションコードでシンボルが拡散され、そのシンボルに対するＳＦチップが生成される。
【００３２】
ＵＥは、ＨＳ−ＰＤＳＣＨについては最大１５個までの１６チップチャネライゼーションコードを割り当てられ、ＨＳ−ＳＣＣＨについては最大４個までの１２８チップチャネライゼーションコードを割り当てられうる。ＨＳ−ＳＣＣＨに対するチャネライゼーションコードは、呼確立時にＵＥに割り当てられ、上位層のシグナリングを介してＵＥに信号として伝えられる。ＨＳ−ＰＤＳＣＨに対するチャネライゼーションコードは、動的に割り当てられ、割り当てられた１２８チップチャネライゼーションコードのうちの１つを使用してＨＳ−ＳＣＣＨ上で送信されたシグナリングを介してＵＥに伝達される。
【００３３】
ＨＳＤＰＡは、さらに、（ａ）それぞれのＨＳ−ＰＤＳＣＨが異なる１６チップチャネライゼーションコードを使用する、最大１５個までのＨＳ−ＰＤＳＣＨ、および（ｂ）それぞれのＨＳ−ＳＣＣＨが異なる１２８チップチャネライゼーションコードを使用する、任意の個数のＨＳ−ＳＣＣＨを有するものとみなせる。この場合、ＵＥは、最大４個までのＨＳ−ＳＣＣＨおよび最大１５個までのＨＳ−ＰＤＳＣＨを割り当てられうる。以下の説明では、ＨＳＤＰＡは、（ａ）最大１５個までの１６チップチャネライゼーションコードを持つ、単一のＨＳ−ＰＤＳＣＨ、および（ｂ）任意の個数の１２８チップチャネライゼーションコードを持つ、単一のＨＳ−ＳＣＣＨを有するものと考えられる。以下の説明では、チャネライゼーションコードの参照は、特に断りのない限り、ＨＳ−ＰＤＳＣＨに対するものである。
【００３４】
図３は、Ｗ−ＣＤＭＡのフレームフォーマットを示している。伝送のタイムラインは、複数の無線フレームに分割される。ダウンリンク上の無線フレームは、共通パイロットチャネル（ＣＰＩＣＨ）のタイミングに関して定義される。それぞれの無線フレームは、１０ミリ秒（ｍｓ）の持続時間を有し、１２ビットシステムフレーム（ＳＦＮ）により識別される。それぞれの無線フレームは、さらに、１５個のスロットに分割され、スロット０からスロット１４までのラベルが付けられる。それぞれのスロットは、０．６６７ｍｓの持続時間を有し、３．８４メガチップ／秒（Ｍｃｐｓ）で２５６０チップを含む。それぞれの無線フレームは、さらに、５つのサブフレーム０から４に分割される。それぞれのサブフレームは、２ｍｓの持続時間を有し、３スロット分の広がりを持つ。ＨＳ−ＳＣＣＨのサブフレームは、ＣＰＩＣＨの無線フレームと時間整合される。ＨＳ−ＰＤＳＣＨのサブフレームは、ＨＳ−ＳＣＣＨのサブフレームに関して右に２スロット分だけシフト（または遅延）される。
【００３５】
ＨＳ−ＤＳＣＨは、サービスを受けているＵＥに対するトランスポートブロックを伝送する。１つのトランスポートブロックは、１ブロック分のデータであり、データブロック、パケットなどとも呼ばれる。それぞれのトランスポートブロックは、符号化され変調されて、ＨＳ−ＰＤＳＣＨ上で送信される。
【００３６】
ＨＳＤＰＡは、増分冗長（ＩＲ）とも呼ばれる、ハイブリッド自動再送（ＨＡＲＱ）をサポートしている。ＨＡＲＱでは、Ｎｏｄｅ  Ｂは、トランスポートブロックに対する新規伝送を行い、そのトランスポートブロックがＵＥによって正しく復号化されるまで、または再送が最大回数実行されるまで、または他の何らかの終了条件が発生するまで、再送を１回また複数回実行することができる。したがって、Ｎｏｄｅ  Ｂは、１つのトランスポートブロックに対する伝送を回数可変で行うことができる。第１の伝送は、新規伝送と呼ばれ、その後のそれぞれの伝送は、再送と呼ばれる。ＨＳＤＰＡは、非同期ＩＲをサポートするが、これは、前回伝送してから可変時間経過後に再送することができることを意味している、対照的に、同期ＩＲでは、再送は前回伝送してから一定時間経過後に行われる。同期ＩＲと非同期ＩＲの両方において、トランスポートブロックの連続する伝送と伝送との間に時間の空白がある。この時間の空白では、他の複数のトランスポートブロックに対する伝送が実行されうる。したがって、異なるトランスポートブロックの伝送は、ＨＡＲＱでインターリーブされうる。
【００３７】
ＨＳＤＰＡにおけるＨＡＲＱでは、Ｎｏｄｅ  Ｂは、トランスポートブロックに対する巡回冗長検査（ＣＲＣ）符号を生成し、そのＣＲＣをトランスポートブロックに付加し、符号化方式または符号レートに基づきトランスポートブロックおよびＣＲＣを符号化して、符号化ブロックを形成する。ＣＲＣは、復号化の後誤りを検出するためにＵＥによって使用される。Ｎｏｄｅ  Ｂは、符号化ブロックを複数の冗長バージョンに分割する。それぞれの冗長バージョンは、トランスポートブロックに対する異なる符号化情報（または符号ビット）を含むことができる。Ｎｏｄｅ  Ｂは、そのトランスポートブロックの伝送毎に１つの冗長バージョンを送信することができる。ＨＳＤＰＡでは、Ｎｏｄｅ  Ｂは、トランスポートブロックについて送信する冗長バージョンのシーケンスを選択することができる。
【００３８】
ＨＳ−ＳＣＣＨシグナリングは、すべての新規伝送および再送に対する制御情報を供給する。しかし、ＨＳ−ＳＣＣＨシグナリングにより送信される制御メッセージは、ＨＳ−ＳＣＣＨ符号（個数が限られている）だけでなくいくらかの電力をも消費するため、オーバーヘッドをもたらす。ＨＳ−ＳＣＣＨを使用することによるオーバーヘッドを低減するには、ＨＳ−ＳＣＣＨシグナリングをなくすること望ましいであろう。一態様では、ＨＳ−ＳＣＣＨシグナリングは、ＨＳ−ＰＤＳＣＨ上でのすべての新規伝送について排除され、再送に対してのみ使用される。以下の説明では、最初に、ＨＳ−ＳＣＣＨを使用する伝送がバックグラウンドのためにどのように実現されるか、次いで、ＨＳ−ＳＣＣＨ削減伝送とも呼ばれる、ＨＳ−ＳＣＣＨを使用しない伝送がどのように実現されるかを説明する。
【００３９】
ＨＳ−ＰＤＳＣＨ上でそれぞれの伝送について制御シグナリングが使用される場合、Ｎｏｄｅ  Ｂは、ＨＳ−ＰＤＳＣＨ上で送信されたそれぞれの伝送についてＨＳ−ＳＣＣＨ上でシグナリングを送信する。表２は、ＨＳ−ＳＣＣＨ上で送信されるシグナリングをまとめたものである。表２の第１欄は、シグナリングに含まれる情報のさまざまなフィールドまたはタイプを示し、第２欄は、それぞれのフィールドのサイズを示し、第３欄は、それぞれのフィールドにより何が伝達されるかを簡単に説明している。ＨＳ−ＳＣＣＨ削減伝送方式でＨＳ−ＳＣＣＨが送信されるときのシグナリングを説明している（つまり、すべての再送について）第４および第５欄については以下で説明する。
【表２】
2010501148.tif 000004
【００４０】
ＨＳ−ＳＣＣＨ上のシグナリングは、トランスポートフォーマットおよびリソース関連情報（ＴＦＲＩ）ならびにＨＡＲＱ関連情報（もしくはＨＡＲＱ情報）を含む。ＴＦＲＩは、チャネライゼーションコードセット、変調方式、およびトランスポートブロックサイズを含む。ＨＡＲＱ情報は、ＨＡＲＱプロセス番号、冗長バージョン、および新規データインジケータを含む。シグナリングは、２つの部分に分けて処理される。パート１は、チャネライゼーションコードセットおよび変調方式に対する８ビットを含む。パート２は、トランスポートブロックサイズおよびＨＡＲＱ情報に対する１３ビットを含む。ＣＲＣは、パート１とパート２の両方について計算される。パート１は、レート１／２畳込み符号で符号化され、ＵＥ  ＩＤでスクランブルされ、サブフレームの第１のスロットで送信される。パート２およびＣＲＣは、レート１／２畳込み符号で符号化され、サブフレームの最後の２つのスロットで送信される。これにより、ＵＥは、ＨＳ−ＰＤＳＣＨ上でのデータ伝送に先立ってＨＳ−ＳＣＣＨからパート１のタイムクリティカルな情報を復元することができる。
【００４１】
図４は、シグナリングありのＨＳ−ＤＳＣＨ上のデータ伝送を示している。ＵＥは、パイロットに基づき受信された信号品質を定期的に推定し、ＨＳ−ＤＰＣＣＨ上でチャネル品質インジケータ（ＣＱＩ）を送信する。Ｎｏｄｅ  Ｂは、ＵＥに送信すべきデータを有しており、ダウンリンク伝送を行うようにＵＥをスケジューリングする。Ｎｏｄｅ  Ｂは、ＨＳ−ＳＣＣＨ上でＵＥに対するシグナリングを送信し、ＨＳ−ＰＤＳＣＨ上でＵＥに対するトランスポートブロックの第１の伝送を送信する。ＨＳ−ＰＤＳＣＨ上のデータ伝送は、ＨＳ−ＳＣＣＨ上の対応するシグナリング伝送から２スロット分だけ遅延される。
【００４２】
ＵＥは、ＨＳ−ＳＣＣＨを処理し、ＵＥに送信されたシグナリングを復元する。次いで、ＵＥは、受信されたシグナリングに基づきＨＳ−ＰＤＳＣＨを処理し、ＵＥに送信されたトランスポートブロックを復元する。ＵＥは、トランスポートブロックが正しく復号化された場合にＨＳ−ＤＰＣＣＨ上で肯定応答（ＡＣＫ）を送信し、そうでない場合には、否定応答（ＮＡＫ）を送信する。ＵＥは、さらに、受信された信号品質を推定し、ＨＳ−ＤＰＣＣＨ上でＡＣＫまたはＮＡＫとともにＣＱＩを送信する。ＨＳ−ＤＰＣＣＨ上のフィードバック伝送は、ＨＳ−ＰＤＳＣＨ上の対応するデータ伝送の終わりから約７．５スロット分だけ遅延される。
【００４３】
Ｎｏｄｅ  Ｂは、ＮＡＫがＵＥから受信された場合にトランスポートブロックの再送を行い、ＡＣＫが受信された場合に他のトランスポートブロックに対する新規伝送を行うことができる。Ｎｏｄｅ  Ｂは、ＨＳ−ＳＣＣＨ上でシグナリングを、ＨＳ−ＰＤＳＣＨ上で再送または新規伝送を送信する。シグナリングはＨＳ−ＰＤＳＣＨが再送を行うのか、または他の情報とともに新規伝送を行うのかを示す。一般に、Ｎｏｄｅ  Ｂは、トランスポートブロックの新規伝送および必要ならば１つまたは複数の再送を行うことができる。Ｎｏｄｅ  Ｂは、図４に示されているように、飛び越し方式で複数のトランスポートブロックを送信することができる。
【００４４】
図５は、ＨＳＤＰＡにおける複数のＵＥのデータ伝送を示している。Ｎｏｄｅ  Ｂは、それぞれのＴＴＩにおいてＨＳ−ＰＤＳＣＨ上でデータ伝送を行うようにＵＥをスケジューリングする。Ｎｏｄｅ  Ｂは、ＨＳ−ＳＣＣＨ上でスケジューリングされたＵＥに対するシグナリングを送信し、ＨＳ−ＰＤＳＣＨ上でスケジューリングされたＵＥに対する伝送を送信する。ＨＳ−ＰＤＳＣＨ上でデータを受信する可能性のあるそれぞれのＵＥは、ＨＳ−ＳＣＣＨを処理して、シグナリングがそのＵＥに送信されたかどうかを判定する。それぞれのスケジューリングされたＵＥは、ＨＳ−ＰＤＳＣＨを処理し、ＵＥに送信されたトランスポートブロックを復元する。それぞれのスケジューリングされたＵＥは、ＨＳ−ＤＰＣＣＨ上でＡＣＫ／ＮＡＫおよびＣＱＩフィードバックを送信する。所定のＴＴＩにおいてスケジューリングされていないＵＥは、さらに、前回伝送についてはＡＣＫ／ＮＡＫを、現在のＴＴＩについてはＣＱＩをＨＳ−ＤＰＣＣＨ上で送信することができる。
【００４５】
図５では、ボイスオーバーインターネットプロトコル（ＶｏＩＰ）、ゲーミングなどのリアルタイムサービスに対するＨＳ−ＰＤＳＣＨ上の伝送およびＨＳ−ＳＣＣＨ上のシグナリングが、濃い陰影で示されている。ベストエフォートなどの他のサービスに対するＨＳ−ＰＤＳＣＨ上の伝送およびＨＳ−ＳＣＣＨ上のシグナリングは、綾模様で示されている。ＨＳ−ＰＤＳＣＨ上のそれぞれの伝送は、ＨＳ−ＳＣＣＨ上の対応するシグナリングと関連付けられている。
【００４６】
ＨＳＤＰＡは、大量のデータをダウンロードするものと類似のアプリケーション用に設計され最適化されている。ＨＳＤＰＡの設計に際して使用された多数のシミュレーション結果が、フルバッファトラヒックモデルに基づき生成された。この前提の結果、遅延に敏感なアプリケーションに対する性能ではなくむしろセルスループットを最適化する、比較的小さなパケットを生成することができるＨＳＤＰＡ設計に至っている。現在のＨＳＤＰＡ設計のいくつかの結果は以下のようになっている。
【００４７】
１．表２に示されているように、ＨＳ−ＳＣＣＨはシグナリングのために多数のビットを伝送する。
【００４８】
２．ＨＳ−ＳＣＣＨは、次善最適な方法で符号化され送信される。
【００４９】
３．ＨＳ−ＰＤＳＣＨは、いくつかのリアルタイムサービスについて比較的大きなトランスポートブロックを伝送する。
【００５０】
４．ＨＳ−ＤＰＣＣＨは、それぞれのＵＥによって連続的に送信される。
【００５１】
ＨＳ−ＳＣＣＨ上の大量のシグナリングを使用して、（ａ）伝送毎に変化しうる、ＨＳ−ＰＤＳＣＨに対する割り当てられたチャネライゼーションコードを柔軟に選択すること、（ｂ）２５４個の可能なトランスポートブロックサイズのうちからトランスポートブロックサイズを柔軟に選択すること、（ｃ）非同期ＩＲに対する伝送および再送時間を柔軟に選択すること、（ｄ）冗長バージョンを柔軟に選択すること、および（ｅ）変調を柔軟に選択することをサポートする。これらの柔軟な特徴すべての結果として、ＨＳ−ＳＣＣＨでは多くのオーバーヘッドが発生する。
【００５２】
さらに、ＨＳ−ＳＣＣＨ上のシグナリングは、ＵＥの実装を簡素化するために上述のように２つの部分に分割される。ＨＳ−ＰＤＳＣＨ伝送は、図４および５に示されているように、ＨＳ−ＳＣＣＨ伝送に関して遅延され、このこともまたＵＥの実装を簡素化することになる。これらの特徴は両方とも、次善最適であり、ＨＳ−ＳＣＣＨによるオーバーヘッドをなおいっそう大きくする原因となっている。
【００５３】
ＨＳ−ＰＤＳＣＨは、ＵＥのデータペイロードとの一致を高めるために異なるサイズのトランスポートブロックを伝送することができる。ＨＳＤＰＡは、１３７ビットから２７，９５２ビットまでの範囲の２５４個のトランスポートブロックサイズをサポートする。トランスポートブロックサイズは、変調方式（例えば、ＱＰＳＫまたは１６  ＱＡＭ）およびＨＳ−ＰＤＳＣＨ上の伝送に使用されるチャネライゼーションコードの個数に依存する。異なる多数のチャネライゼーションコードに対して、異なる多数の組のトランスポートブロックサイズが利用可能である。例えば、チャネライゼーションコードがＨＳ−ＰＤＳＣＨに対し割り当てられる場合に、１３７から１８７１ビットまでの範囲の１０３個のトランスポートブロックサイズが使用されうる。
【００５４】
小さなトランスポートブロックサイズでは、使用するチャネライゼーションコード空間が多すぎる場合がある。ＨＳ−ＰＤＳＣＨに拡散率１６が使用されるのは、データ用に十分なコード空間粒度を確保しつつ、割り当てられているチャネライゼーションコードセットを伝達するためのシグナリングの量を減らすからである。このように拡散率を選択した結果、小さなトランスポートブロックサイズ（フルバッファトラヒックには滅多に使用されない）は小さな実効符号レートを持つ。例えば、ＱＰＳＫの場合の１３７から４４９ビットまでのすべてのトランスポートブロックサイズは、第１の伝送において１／２以下の符号レートを有する。ＶｏＩＰでは、１２．２キロビット／秒（ｋｂｐｓ）適応マルチレート（ＡＭＲ）音声に対するフルレートフレームは、３１７ビットを含む。このフルレートフレームに対する典型的なトランスポートブロックサイズは、第１の伝送では約１／３の符号レートを有する。この典型的なトランスポートブロックサイズの過剰な容量の結果、第１の伝送に対して符号レートが低くなり、その結果、フルレートフレームに使用される無線リソースが必要以上に多くなることがある。
【００５５】
ＨＳ−ＰＤＳＣＨ上でデータ伝送を受信することが可能なそれぞれのＵＥは、ＨＳ−ＤＰＣＣＨ上でフィードバック情報（例えば、ＣＱＩ）を連続的に送信する。フィードバック情報は、アップリンクのオーバーヘッドおよびＵＥの高い電池消費電力と引き換えにダウンリンクでのデータ伝送の性能を改善する。ＨＳ−ＰＤＳＣＨ上のデータ伝送に対しＵＥを柔軟にスケジューリングするには、ＵＥはＨＳ−ＳＣＣＨを連続的に監視し、ＨＳ−ＤＰＣＣＨ上で連続的に送信する必要がある。
【００５６】
上記の理由から、ＨＳ−ＳＣＣＨシグナリングを伴うＨＳＤＰＡ設計は、フルバッファトラヒックモデルに似たアプリケーションで良好な性能をもたらすが、低スループットおよび／また遅延に敏感なデータのあるアプリケーションでは不効率である。さらに、このＨＳＤＰＡ設計では、アップリンクのオーバーヘッドおよびＵＥの電池寿命などの連続的パケット接続性に関係する問題を考慮していない。
【００５７】
一態様では、Ｎｏｄｅ  Ｂは、伝送に先立ってＵＥに割り当てられている少なくとも１つのパラメータに基づき共有データチャネル（例えば、ＨＳ−ＤＳＣＨおよびＨＳ−ＰＤＳＣＨ）上で伝送をＵＥに送信する。Ｎｏｄｅ  Ｂは、共有データチャネル上でＵＥに送信される新規伝送については共有制御チャネル（例えば、ＨＳ−ＳＣＣＨ）上でシグナリングを送信しない（つまり、Ｎｏｄｅ  Ｂは共有データチャネル上の再送のときにＨＳ−ＳＣＣＨシグナリングを送信するのみ）が、これはオーバーヘッドを大幅に低減しうる。ＵＥは、割り当てられたパラメータに基づき共有データチャネルから受信された伝送を処理する。共有データチャネルは、トランスポートブロックまたはデータパケットにより観察される異なるレイヤーにおけるチャネル（例えば、トランスポートおよび物理チャネル）を備えることができる。例えば、ＨＳＤＰＡでは、共有データチャネルは、ＨＳ−ＤＳＣＨおよびＨＳ−ＰＤＳＣＨを備えることができる。共有データチャネルは、他の無線技術に対する他のチャネルを備えることができる。
【００５８】
一般に、ＵＥには、任意の個数のパラメータおよび任意のタイプのパラメータを割り当てることができる。例えば、割り当てられたパラメータは、以下の１つの組み合わせまたは任意の組み合わせを含むことができる。
【００５９】
１．チャネライゼーションコードパラメータ、
２．符号化および変調パラメータ、および
３．ＨＡＲＱまたは再送パラメータ。
【００６０】
チャネライゼーションコードパラメータは、チャネライゼーションコードの個数および／またはＵＥへの伝送に使用可能な特定のチャネライゼーションコードを示すことができる。割り当てられたチャネライゼーションコードは、ＨＳ−ＰＤＳＣＨおよび／または他のチャネライゼーションコードに利用可能な１６チップチャネライゼーションコードのいずれかとしてよい。例えば、ＵＥは、拡散率を３２または６４とするチャネライゼーションコードを割り当てられうるが、これは１つの１６チップチャネライゼーションコードよりも少ない符号空間を占有しうる。ＵＥは、割り当てられたチャネライゼーションコードのみについて共有データチャネルを処理し、他のチャネライゼーションコードを無視することができる。
【００６１】
符号化および変調パラメータは、データがどのように符号化され変調されるかを示しうる。例えば、符号化および変調パラメータは、ＵＥへの伝送に使用可能な、１つまたは複数の変調方式（例えば、ＱＰＳＫおよび／または１６  ＱＡＭ）、１つまたは複数のトランスポートブロックサイズ、１つまたは複数の符号レートなどを示すことができる。ＵＥは、割り当てられた符号化および変調パラメータに基づき共有データチャネルを処理することができる。一態様では、表２に示されているように、ＱＰＳＫのみが使用される。
【００６２】
ＨＳ−ＳＣＣＨ動作モードでＨＡＲＱパラメータにすでに使用されているビットは、現在の伝送が関連付けられている前回伝送／再送などＵＥへの再送に適用可能なパラメータ（ＨＳ−ＳＣＣＨ削減ポインタ）を示すように再度目的を設定される。再送トランスポートブロックに対する再送の番号（再送ＩＤ）も、現在の再送トランスポートブロックが関連付けられている前回伝送（現在の再送が新規伝送の再送である場合）または再送（現在の再送が前回再送の再送である場合）を示すために再送で送信される。それぞれの再送に対するトランスポートブロックの冗長バージョンは、Ｎｏｄｅ  ＢおよびＵＥによりアプリオリに知られている特定の順序で送信されうる。例えば、第１の冗長バージョンは、トランスポートブロックに対する第１の再送で送信され、第２の冗長バージョンは、第２の再送で送信され、第３の冗長バージョンは、第３の再送で送信され、というようにすることが可能である。
【００６３】
一態様では、ＵＥがＡＣＫ／ＮＡＫフィードバックの送信をサポートしており、ＡＣＫ／ＮＡＫフィードバック設定が、ＡＣＫとＮＡＫの両方のフィードバック、ＡＣＫフィードバックのみ、などを送信するかどうかを示すことができる場合、ＵＥは、ＨＳ−ＳＣＣＨ削減動作(HS-SCCH-less mode)モードでＡＣＫフィードバックのみに設定される。シグナリングがＨＳ−ＳＣＣＨ上で送信されない場合の新規伝送では、ＵＥで復号化誤りが発生した場合に、ＵＥは、復号化誤りが、（ａ）ＵＥに送信され、ＵＥにより誤りがあると検出されたトランスポートブロックから生じたのか、（ｂ）トランスポートブロックが共有チャネル上で送信されているため他のＵＥに送信されているトランスポートブロックをＵＥが受信している、他のＵＥに対し送信されたトランスポートブロックから生じたのか（復号化は、トランスポートブロックが符号化される際に使用されたＵＥ  ＩＤが他のＵＥのＵＥ  ＩＤであったため正しくない）、または（ｃ）任意のＵＥに送信されたどのトランスポートブロックからも生じていないかどうかを、判定することができない場合がある。したがって、ＵＥは、そのトランスポートブロックについてＮＡＫをいつ送信すべきかを知らない場合がある。ＡＣＫフィードバックのみを送信することにより、トランスポートブロックが他のＵＥに送信されたことによるそのような無関係の復号化誤りに対するＮＡＫの外部および誤りのあるシグナリングを回避することができる。
【００６４】
割り当てられているパラメータは、さらに、システム設計に依存しうる、他のタイプのパラメータを含むことができる。例えば、ＯＦＤＭベースのシステムでは、割り当てられたパラメータは、ＵＥへの伝送に使用されうる１つまたは複数の特定の副搬送波を示しうる。多入力多出力（ＭＩＭＯ）伝送をサポートするシステムでは、割り当てられたパラメータは、ＵＥに送信されうるデータストリームの数、ＵＥにへの伝送に使用されうる１つまたは複数の事前符号化マトリクス、などを示すことができる。
【００６５】
共有データチャネルは、トランスポートおよび物理チャネル、例えば、ＨＳ−ＤＳＣＨおよびＨＳ−ＰＤＳＣＨを備えることができる。いくつかのパラメータ（例えば、符号化パラメータ）は、共有データチャネルのトランスポートチャネル部分について適用可能であるが、他のパラメータ（例えば、変調およびチャネライゼーションコードパラメータ）は、共有データチャネルの物理チャネル部分について適用可能であるものとしてよい。
【００６６】
一態様では、１つまたは複数の伝送フォーマットを定義し、ＵＥに割り当てることができる。それぞれの伝送フォーマットは、伝送に使用する１つまたは複数の特定のパラメータに関連付けられうる。例えば、伝送フォーマットは、１つまたは複数のチャネライゼーションコードの特定の集合、特定の変調方式、特定の符号レート、またはトランスポートブロックサイズなどに関連付けることができる。Ｎｏｄｅ  Ｂは、ＵＥに割り当てられた（複数の）伝送フォーマットの１つに基づき伝送を行うことができる。ＵＥが、複数の伝送フォーマットを割り当てられている場合、Ｎｏｄｅ  Ｂは、ＵＥに送信される伝送毎に伝送フォーマットのうちの１つを使用することができる。
【００６７】
一般に、パラメータは、例えばブロックサイズ、符号レート、変調方式、ＨＡＲＱパラメータなどのデータ伝送に関連するものであれば何でもよい。伝送フォーマットは、１つまたは複数の特定のパラメータ（例えば、ブロックサイズおよび変調方式）に関連付けられ、パラメータを伝達するための都合のよい機構とすることができる。
【００６８】
さらに、一般に、割り当てられたパラメータは、いかなる無線通信システムのいかなる共有データチャネルにも使用できる。割り当てられたパラメータは、新規伝送のためＨＳ−ＳＣＣＨ上でシグナリングを送信することを回避するのにＨＳＤＰＡに使用されうる。ＨＳ−ＤＳＣＨに対する新規サブフレームフォーマットまたは伝送モードは、以下の特徴のうちの１つまたは複数とともに定義されうる。
【００６９】
１．シグナリングは、新規伝送についてはＨＳ−ＳＣＣＨ上で送信されず、再送でのみ送信される。
【００７０】
２．１つまたは複数の特定のチャネライゼーションコードは、ＵＥへの伝送に使用可能である。
【００７１】
３．１つまたは複数の特定の変調方式は、伝送に使用可能である。
【００７２】
４．１つまたは複数の特定のトランスポートブロックサイズは、伝送に使用可能である。
【００７３】
５．ＨＡＲＱは、所定の回数の再送、現在の再送が関連付けられている前回伝送／再送への参照、および再送のバージョン（例えば、第１の再送、第２の再送など）に基づく冗長バージョンの所定のシーケンスとともに非同期ＩＲに設定される。
【００７４】
６．ＵＥ特有のＣＲＣが、ＨＳ−ＰＤＳＣＨ上で送信されるトランスポートブロック毎に使用される。
【００７５】
パラメータのいくつかは、固定であり、他のパラメータは、構成可能であるものとしてよい。一態様では、チャネライゼーションコードおよびトランスポートブロックサイズは、構成可能なパラメータであり、他のパラメータは、固定である。例えば、変調方式は、ＱＰＳＫに固定され、再送の回数は、２に固定され、冗長バージョンのシーケンスは、再送バージョンに基づき固定され、というようにすることができる。固定パラメータは、Ｎｏｄｅ  ＢおよびＵＥによりアプリオリに知られる。構成可能パラメータは、呼の開始時に決定され、呼の実行中に変更されうる。
【００７６】
ＵＥについて、１つまたは複数の伝送フォーマットが定義されうる。例えば、伝送フォーマットは以下のものとともに定義されうる。
【００７７】
１．ＨＳ−ＰＤＳＣＨに対する特定のチャネライゼーションコード、
２．特定の変調方式（例えば、ＱＰＳＫ）、
３．特定のトランスポートブロックサイズ、
４．前回伝送／再送、２回の再送、および冗長バージョンの所定のシーケンスへのポインタ情報を含む、非同期ＩＲに設定されたＨＡＲＱタイプ情報、および
５．ＵＥ特有のＣＲＣ。
【００７８】
異なるパラメータを伴う複数の伝送フォーマットが、ＵＥに対し定義されうる。例えば、２つの異なるトランスポートブロックサイズおよび同じチャネライゼーションコード、変調方式などについて２つの伝送フォーマットが定義されうる。一般に、伝送フォーマットは、任意の個数のパラメータおよび任意のタイプのパラメータに関連付けることができる。
【００７９】
したがって、再送時にＨＳ−ＳＣＣＨ上でシグナリングを介して伝達されるパラメータは、送信に先立って固定されるか、または構成される／割り当てられうる。一設計において、ＨＳ−ＳＣＣＨ上でシグナリングを介して伝達されるすべてのパラメータは、表２の最後の欄に示されているように処理されうる。この設計では、これらのパラメータのうちの多くは、新規伝送についてはＨＳ−ＳＣＣＨ上のシグナリングが必要ないように固定されるか、または構成される／割り当てられる。さらに、この設計では、単一のチャネライゼーションコードおよび４つのトランスポートブロックサイズが、ＵＥへの伝送に使用可能である。４つのトランスポートブロックサイズは、呼に対するデータ要件に基づき選択できる。例えば、ＶｏＩＰ呼の場合、１２．２Ｋｂｐｓ  ＡＭＲ−ＮＢ音声フレームまたは１２．６Ｋｂｐｓ  ＡＭＲ−ＷＢ音声フレームについて、３５３ビットのトランスポートブロックサイズが使用されうる。ＡＭＲ−ＮＢまたはＡＭＲ−ＷＢ無音記述子（ＳＩＤ）フレームに対しては、１６１ビットのトランスポートブロックサイズが使用されうる。他のトランスポートブロックサイズおよび／または異なる数のトランスポートブロックサイズも使用できる。
【００８０】
一態様では、ＵＥは、ＨＳ−ＰＤＳＣＨに利用可能なチャネライゼーションコードのうちの１つまたは複数のチャネライゼーションコードを割り当てられうる。他の態様では、ＵＥは、拡散率が１６よりも大きいチャネライゼーションコードを割り当てられうる。次いで、ＵＥは、共有データチャネルに対する最短のチャネライゼーションコードよりも長いチャネライゼーションコードで受信された伝送を逆拡散することができる。拡散率が大きいほど、符号空間割り当ての粒度を減らし、チャネライゼーションコード利用度を改善することができる。例えば、データペイロードサイズが小さい（例えば、ＶｏＩＰまたはゲーミングの）ＵＥは、拡散率が３２であるチャネライゼーションコードを割り当てられ、次いで、符号空間の半分を占有しうる。このＳＦ＝３２のチャネライゼーションコードで送信された伝送は、ＳＦ＝１６のチャネライゼーションコードで送信された相当する伝送と比べて２倍高い符号レートを持つことができる。ＨＡＲＱは、より低い符号レートを必要とするトランスポートブロックに対する再送を行うことにより、より高い符号レートを補正することができる。さらに他の態様では、ＵＥは、時間的に変化するチャネライゼーションコード（所定の仕方で時間の経過とともに変化しうる）または異なる時間間隔の異なるチャネライゼーションコードを割り当てられる。
【００８１】
ＵＥに対する割り当てられたパラメータは、１つまたは複数の伝送フォーマットにより、および／または他の何らかの方法で、与えることができる。割り当てられたパラメータは、呼の開始時の呼を確立しているときにＵＥについて決定され、呼の要件に基づきうる。例えば、割り当てられたトランスポートブロックサイズは、データ要件に基づき選択され、割り当てられた時間間隔は、呼のタイプ（例えば、ＶｏＩＰまたはゲーミング）に基づき選択され、といったようにできる。割り当てられたパラメータは、さらに、データ要件、システム負荷の変化などのさまざまな理由により呼び出し時に修正されうる。割り当てられたパラメータへの変更は、システムによりサポートされている再構成機構を介して処理できる。したがって、割り当てられたパラメータは、静的であるか、または半静的であり、それぞれのＵＥについて構成可能であるとしてよい。割り当てられたパラメータは、割り当てられたパラメータを使用して共有データチャネル上で伝送するのに先立って上位層シグナリングを介して、または他の何らかの手段によりそれぞれのＵＥに送信されうる。例えば、割り当てられたパラメータは、Ｗ−ＣＤＭＡにおけるレイヤー３無線ベアラ−セットアップメッセージを使用して呼の確立時に、または無線ベアラ−再構成メッセージを使用して再構成中に送信されうる。
【００８２】
図６は、割り当てられたパラメータを使用するＨＳ−ＤＳＣＨ上のデータ伝送を示している。ＵＥは、受信された信号品質を定期的に推定し、ＨＳ−ＤＰＣＣＨ上でＣＱＩを送信する。Ｎｏｄｅ  Ｂは、ＵＥに送信すべきデータを有しており、ダウンリンク伝送を行うようにＵＥをスケジューリングする。Ｎｏｄｅ  Ｂは、割り当てられたパラメータ、例えば、割り当てられた伝送フォーマットに基づきトランスポートブロックを処理する。これが最初の（新規）伝送なので、Ｎｏｄｅ  Ｂは、ＨＳ−ＳＣＣＨ上でシグナリングをいっさい送信せず、ＨＳ−ＰＤＳＣＨ上のトランスポートブロックの伝送のみをＵＥに送信する。ＵＥは、割り当てられたパラメータに基づきＨＳ−ＰＤＳＣＨを処理し、ＵＥに送信されたトランスポートブロックを復元する。ＵＥは、トランスポートブロックが正しく復号化された場合にＨＳ−ＤＰＣＣＨ上でＡＣＫを送信し、そうでない場合には何も送信しない。ＵＥは、さらに、受信された信号品質を推定し、ＡＣＫとともに／何も伴わずに、ＨＳ−ＤＰＣＣＨ上でＣＱＩを送信する。Ｎｏｄｅ  Ｂは、ＡＣＫが受信された場合に他のトランスポートブロックに対する新規伝送を送信することができる。図６では、ＵＥは、トランスポートブロックを受信するのに成功しなかった（例えば、ＵＥがトランスポートブロックを全く受信しなかったか、またはトランスポートブロックが正しく受信されなかった）ためＡＣＫを送信しない。一態様では、Ｎｏｄｅ  Ｂは、所定の期間内にＵＥからＡＣＫが受信されない場合に、再送を行う。例えば、Ｎｏｄｅ  Ｂは、ＵＥがＡＣＫを送り返さない場合、再送をスケジューリングする。したがって、Ｎｏｄｅ  Ｂは、ＨＳ−ＳＣＣＨ上でシグナリングなしで新規伝送を送信するが、表２で説明されているようにＨＳ−ＳＣＣＨ上のシグナリングとともに再送を行う。
【００８３】
図７は、パラメータを割り当てられている複数のＵＥへのデータ伝送を示している。Ｎｏｄｅ  Ｂは、割り当てられたパラメータとともに（濃い陰影で示されている）ＵＥに伝送を送信するだけでなく、ＨＳ−ＰＤＳＣＨ上で割り当てられたパラメータなしで（綾模様で示されている）ＵＥに伝送を送信する。Ｎｏｄｅ  Ｂは、割り当てられたパラメータなしでＨＳ−ＳＣＣＨ上のシグナリングをＵＥにのみ送信するか、または再送の場合は、割り当てられたパラメータとともにＵＥに送信するが、これは綾模様で示されている。Ｎｏｄｅ  Ｂは、割り当てられたパラメータとともにＵＥにシグナリングを送信しない。図５および７に示されているように、無線リソースは、割り当てられたパラメータとともにＵＥにシグナリングを送信しないことにより、節約できる。
【００８４】
図８は、図２のＮｏｄｅ  Ｂ１１０におけるＴＸデータプロセッサ２１０および変調器２２０の設計のブロック図を示している。簡単のため、図８では、１つのＵＥについてＨＳ−ＰＤＳＣＨ上の伝送を生成する処理ユニットを示している。
【００８５】
ＴＸデータプロセッサ２１０では、ＣＲＣジェネレータ８１０は、トランスポートブロックに対するＣＲＣを生成する。スクランブラ８１２は、受信側ＵＥのＵＥ識別子（ＵＥ  ＩＤ）に基づきトランスポートブロック、ＣＲＣ、またはトランスポートブロックとＣＲＣの両方をスクランブルすることができる。このＵＥ  ＩＤは、ＭＡＣ  ＩＤ、または受信側ＵＥを一意に識別できる他の何らかのタイプのＩＤとすることができる。ＵＥ特有のＣＲＣは、このＣＲＣを受信側ＵＥに特有のものにするさまざまな方法で生成されうる。例えば、ＣＲＣを通常の方法で生成し、次いでＣＲＣをＵＥに特有のものにすることができる。これは、計算されたＣＲＣとＵＥ  ＩＤとの間の排他ＯＲ（ＸＯＲ）演算を実行することにより得られる。一般に、ＵＥ特有のスクランブリングは、伝送の全部または一部において、また送信処理経路にそった任意の地点でも実行できる。
【００８６】
符号器８１４は、符号化方式に基づきスクランブルされたブロックを符号化し、選択されたトランスポートブロックサイズを有する符号化ブロックを形成する。コントローラ２４０は、ＵＥから受信されたＣＱＩに基づくトランスポートブロックサイズ、ＵＥに割り当てられたトランスポートブロックサイズなどを選択することができる。ＨＡＲＱユニット８１６は、符号化ブロックを複数の冗長バージョンに分割する。伝送毎に、ＨＡＲＱユニット８１６は、コントローラ２４０からのＨＡＲＱ制御に基づきどの冗長バージョンを送信するかを決定し、選択された冗長バージョンを与える。チャネルインターリーバー８１８は、選択された冗長バージョンにおける符号ビットをインターリーブ（または順序変更）する。シンボルマッパー８２０は、ＵＥについて選択された変調方式に基づきインターリーブされたビットをデータシンボルにマッピングする。この変調方式は、割り当てられたパラメータを使用したときに（例えば、ＱＰＳＫに）固定されうる。
【００８７】
変調器２２０内で、拡散器８２０は、ＵＥに割り当てられたチャネライゼーションコードに基づきデータシンボルを拡散し、データチップを与える。データチップは、さらに処理され、ＵＥに送信される。コントローラ／プロセッサ２４０は、ＵＥからフィードバック（例えば、ＡＣＫ／何もなし、ＣＱＩ、など）を受信し、ＵＥに送信された伝送毎にさまざまなパラメータ（例えば、ＵＥ  ＩＤ、トランスポートブロックサイズ、ＨＡＲＱポインタ−現在のトランスポートブロックが再送の場合に前回伝送／再送へのポインタ、変調方式、チャネライゼーションコードなど）を供給することができる。
【００８８】
図９は、図２のＵＥ  １２０における復調器２６０およびＲＸデータプロセッサ２７０の一設計のブロック図を示している。復調器２６０内では、逆拡散器９１０が、ＵＥに割り当てられたチャネライゼーションコードに基づき受信された伝送に対する受信されたサンプルを逆拡散し、逆拡散されたシンボルをシンボルバッファ９１２およびＨＡＲＱコンバイナ９１４に送る。バッファ９１２は、将来の伝送と組み合わせることが可能なように逆拡散されたシンボルを格納する。ＨＡＲＱコンバイナ９１４は、（ａ）組み合わせることなく逆拡散器９１０から現在の伝送に対する逆拡散されたシンボルを受け渡すか、または（ｂ）現在の伝送に対する逆拡散されたシンボルとコントローラ２８０からのＨＡＲＱ制御に基づく１つまたは複数の以前の伝送に対する逆拡散されたシンボルとを組み合わせることができる。
【００８９】
ＲＸデータプロセッサ２７０内では、信号逆マッパー９２０は、選択された変調方式に基づきＨＡＲＱコンバイナ９１４から逆拡散されたシンボルを逆マッピングする。例えば、シンボル逆マッパー９２０は、逆拡散されたシンボルの符号ビットに対する対数尤度比（ＬＬＲ）を出力することができる。チャネル逆インターリーバー９２２は、図８のチャネルインタリーバー８１８により実行されるインターリーブを補完する形で逆インターリーブを実行する。復号器９２４は、トランスポートブロックサイズに基づき逆インタリーバー９２２の出力を復号化し、復号化されたトランスポートブロックを形成する。
【００９０】
Ｎｏｄｅ  Ｂが、トランスポートブロックに対するＣＲＣをスクランブルする場合、ＣＲＣジェネレータ９２６は、復号化されたトランスポートブロックに対するＣＲＣを生成し、図９に示されているように、逆スクランブラ９２８は、受信されたＣＲＣを逆スクランブルする。Ｎｏｄｅ  Ｂが、トランスポートブロックをスクランブルする場合、逆スクランブラ９２８は、復号化されたトランスポートブロックを逆スクランブルし、ＣＲＣジェネレータ９２６は、逆スクランブルされたトランスポートブロックに対するＣＲＣを生成する（図９には示されていない）。いずれの場合も、検出器９３０は、受信された、または逆スクランブルされたＣＲＣと突き合わせて局所生成ＣＲＣを比較し、その比較結果に基づきトランスポートブロックが正しく復号化されているか、または不正に復号化されているかを判定する。一般に、ＵＥにおけるＵＥ特有の逆スクランブルは、Ｎｏｄｅ  ＢにおけるＵＥ特有のスクランブルを補完する形で実行される。コントローラ／プロセッサ２８０は、ＵＥにより処理される伝送毎にさまざまなパラメータ（例えば、チャネライゼーションコード、ＨＡＲＱポインタ−現在のトランスポートブロックが再送である場合に前回伝送／再送へのポインタ、変調方式、トランスポートブロックサイズ、ＵＥ  ＩＤなど）を供給することができる。
【００９１】
ＵＥは、割り当てられたパラメータに基づき受信された伝送に対するブラインド復号化を実行することができる。ＵＥは、トランスポートブロックが正しく復号化されるか、またはすべての仮説が評価されるまで可能なそれぞれの仮説について受信された伝送を処理することができる。仮説の個数は、ＵＥ側の未知の因子に依存する。例えば、１回の伝送に４つのトランスポートブロックサイズが使用可能な場合、ＵＥは、４つのトランスポートブロックサイズのそれぞれについて受信された伝送を復号化することができる。最大２回までの再送を１つのトランスポートブロックについて送信することができ、ＵＥが冗長バージョンを決定するためのＨＡＲＱポインタ情報を有している場合、ＵＥは、第２の伝送（つまり、第１の再送）、および第３の伝送（つまり、第２の再送）である受信された伝送に対応する２つの仮説について受信された伝送を処理することができる。この実施例では、ＵＥは、可能な４つのトランスポートブロックサイズを対象とする最大４つまでの仮説に対するブラインド復号化を実行することができる。
【００９２】
ＵＥは、それぞれの仮説に対する出現確率に基づき選択できる順序で仮説を評価することができる。例えば、ＵＥは、最も可能性の高いトランスポートブロックサイズについて復号化を実行し、次いで、次可能性の高いトランスポートブロックサイズに対する復号化を実行し、というように続けてゆくことができる。例えば、ＵＥが４つのトランスポートブロックサイズを割り当てられ、大きなトランスポートブロックサイズほど、小さなトランスポートブロックサイズに比べて頻繁に使用される場合、ＵＥは、小さなトランスポートブロックサイズに対する復号化を実行する前まず大きなトランスポートブロックサイズに対する復号化を実行しうる。
【００９３】
図１０は、トランスポートブロックの第１の伝送におけるＨＳ−ＳＣＣＨシグナリングなしのデータ伝送についてＮｏｄｅ  Ｂにより実行されるプロセス１０００を示している。Ｎｏｄｅ  Ｂは、少なくとも１つのパラメータをＵＥに割り当てる（ブロック１０１２）。少なくとも１つのパラメータは、チャネライゼーションコード、ブロックサイズ、変調方式、伝送フォーマット、再送パラメータなどの少なくとも１つを備えることができる。例えば、少なくとも１つのパラメータは、ＵＥへの伝送に使用可能な複数の伝送フォーマット（例えば、複数のトランスポートブロックサイズ）を備えることができる。ＵＥに対し無線ベアラ−をセットアップするため呼の開始時に呼を確立しているとき、ＵＥの無線ベアラ−を変更する再構成を行っているときなどに、少なくとも１つのパラメータを割り当てることができる。Ｎｏｄｅ  Ｂは、少なくとも１つの割り当てられたパラメータをＵＥに送信する（ブロック１０１４）。その後、Ｎｏｄｅ  Ｂは、少なくとも１つの割り当てられたパラメータに基づきＵＥに対する伝送を処理する（ブロック１０１６）。Ｎｏｄｅ  Ｂは、ＵＥに対する識別子で伝送の全部または一部をスクランブルすることができる。Ｎｏｄｅ  Ｂは、少なくとも１つの割り当てられたパラメータに基づきＵＥによる処理のため複数のＵＥにより共有されるデータチャネル上で伝送を送信する（ブロック１０１８）。Ｎｏｄｅ  Ｂは、これが第１の伝送である場合にはＨＳ−ＳＣＣＨシグナリングなしで、これが再送である場合にはＨＳ−ＳＣＣＨシグナリングとともに、伝送を送信する。したがって、Ｎｏｄｅ  Ｂは、共有データチャネル上の新規トランスポートブロックの伝送に対応するダウンリンク制御情報／シグナリングの伝送を無効にすることができる。
【００９４】
図１１は、新規トランスポートブロックの伝送におけるＨＳ−ＳＣＣＨシグナリングなしのデータ受信についてＵＥにより実行されるプロセス１１００を示している。ＵＥは、例えば呼の確立時、再構成時などにＵＥに割り当てられた少なくとも１つのパラメータを受信する（ブロック１１１２）。少なくとも１つのパラメータは、上に列挙したパラメータのどれかを備えることができる。これ以降、ＵＥは、複数のＵＥにより共有されるデータチャネル上で伝送を受信する（ブロック１１１４）。ＵＥは、伝送を受信するのに先立ちＵＥに割り当てられた少なくとも１つのパラメータに基づき受信された伝送を処理する（ブロック１１１６）。受信された伝送は、データの１つまたは複数のパケット（またはトランスポートブロック）を備えることができる。
【００９５】
ブロック１１１６におけるＵＥによる処理は、受信された伝送に使用可能な異なる伝送フォーマット（例えば、異なるトランスポートブロックサイズ）に基づき受信された伝送を処理／復号化することを含みうる。ＵＥは、一度に１つの伝送フォーマットを選択し、選択された伝送フォーマットに基づき受信された伝送を処理し、正しく復号化されている場合に受信された伝送の処理を終了し、正しく復号化されていない場合に他の伝送フォーマットに対する処理を繰り返すことができる。
【００９６】
ＨＡＲＱが使用される場合、ＵＥは、例えば、前回伝送に対する復号化結果に基づき受信されたＨＳ−ＳＣＣＨであるということから受信された伝送が新規伝送であるか、それとも再送であるかを判定し、また前回伝送、許容される再送の回数などを決定することができる。ＵＥは、最初に、受信された伝送を新規伝送として処理し、復号化されたパケットを取り出し、復号化されたパケットに誤りがある場合、その受信された伝送を再送として処理することができる。それとは別に、ＵＥは、最初に、受信された伝送を再送として処理し、復号化されたパケットを取り出し、復号化されたパケットに誤りがある場合、その受信された伝送を新規伝送として処理することができる。両方の場合において、ＵＥは、受信された伝送に先立って送信された伝送の異なる回数、異なるトランスポートブロックサイズなどに対応する異なる仮説について受信された伝送を処理することができる。
【００９７】
ブロック１１１６における処理はさらに、ＵＥが受信された伝送の意図された受け手であるかどうかを判定することを含むこともできる。この判定は、ＵＥの識別子を使って受信された伝送を検査する、例えば、受信された伝送に対するＣＲＣを生成し、ＵＥ識別子で受信されたＣＲＣを逆スクランブルし、逆スクランブルされたＣＲＣと局所生成されたＣＲＣとを比較することにより行うことができる。この判定は、さらに、ＵＥ識別子で受信された伝送を逆スクランブルすることにより行うこともできる。
【００９８】
図１２は、Ｎｏｄｅ  Ｂに本明細書で説明されている技術を実装するために使用可能なコントローラ１２００のブロック図である。コントローラ１２００は、すでに送信されているパケットが送信されたときにはまだ送信されていない、すでに送信されているデータパケットに関係する情報を有する制御パケットを送信するための集積回路１２０２、およびすでに送信されているデータパケットおよび第２のパケットが共通のデータから導出される状況で、第２のパケットを送信するための集積回路１２０４とを備える。
【００９９】
図１３は、ＵＥに本明細書で説明されている技術を実装するために使用可能なコントローラ１３００のブロック図である。コントローラ１３００は、すでに送信されているデータパケットに関係する情報を含む制御パケットを受信するための集積回路１３０２と、すでに送信されているデータパケットおよび再送データパケットが共通のデータから導出される状況で、再送データパケットを受信するための集積回路１３０４と、すでに送信されているデータパケットおよび再送データパケットが第１のデータパケットを含むデータパケットのシーケンスに関連付けられている状況で、すでに送信されているデータパケットに関係する情報に基づき共通データを取得するための集積回路１３０６とを備える。第１のデータパケットは、それに関連付けられた制御をパケットを有していない。
【０１００】
ＵＥは、共有データチャネル上で追加の伝送を受信し、ＵＥに割り当てられた少なくとも１つのパラメータに基づき類似の方法で追加の受信されたそれぞれの伝送を処理することができる。ＵＥは、共有データチャネル上の伝送を不連続に受信することができ、これは不連続送信（ＤＴＸ）または受信（ＤＲＸ）と呼ばれる。本明細書の説明では、ＤＲＸを取りあげるが、説明は、逆にＤＴＸにも当てはまる。
【０１０１】
ＤＲＸ動作には、所定のユーザーに提供できる最大データ転送速度を下げるだけでなく、遅延に敏感なサービスに対する全体的なダウンリンク回線容量を低下させるという欠点がある。最大データ転送速度が低下するのは、Ｎｏｄｅ  Ｂが現在のところ所定のＵＥに散発的にしか送信できないからである。例えば、ＵＥが４時間間隔のうち３時間間隔の間スリープしている場合、ＵＥで利用できる最大持続データ転送速度は、ＤＲＸが使用されなかった場合のデータ転送速度の１／４である。これは、データがほんの少ししか送信されていない場合には許容可能と思われるが（例えば、ユーザーがウェブページを閲覧している場合）、ユーザーがリンクをクリックし、新規ウェブページのダウンロードを要求した場合に制限要因となる。ＤＲＸの他の欠点は、遅延に敏感なアプリケーションに対し全体的なダウンリンク回線容量を下げるという点である。
【０１０２】
一態様では、ＵＥ上のＤＲＸおよびＤＴＸモードは、ＨＳ−ＳＣＣＨシグナリングが表３の形式を有するＨＳ−ＳＣＣＨ信号における制御シーケンスの伝送を通じてトグル式に切り替えられ、ビットシグナルのエスケープシーケンスで、トグル式切り替えに対するコマンドが発行されていることをＵＥに知らせる。以下の表３を参照すると、一実装では、このエスケープシーケンスは、チャネライゼーションコードセットおよび変調方式の８個のビットである、「１１１０００００」の定義済みシーケンスに設定され、トランスポートブロックサイズ情報も、「１１１１０１」の定義済みシーケンスに設定され、順序のタイプは、ＤＲＸ／ＤＴＸモード制御信号が発行されていることをＵＥに知らせる「０００」の定義済みシーケンスに設定され、ＤＲＸ／ＤＴＸモードを切り替えるために２つのビットがそれぞれ使用される。ＤＲＸ／ＤＴＸトグル式切り替えは、モードがオフにされる場合に「０」に設定され、モードがオンにされる場合に「１」に設定される。
【表３】
2010501148.tif 000005
【０１０３】
一態様では、ＤＴＸ／ＤＲＸ制御情報は、ＨＳ−ＳＣＣＨシグナリングで伝送される物理層コマンドとして送信され、順序は、上の表３に示されているようにチャネライゼーションコードセット、変調、およびトランスポートブロックサイズ情報を送信するために通常使用される制御パケットのロケーションでエスケープコードが検出された後制御パケットから復号化される。
【０１０４】
「例示的な」という単語は、本明細書では、「一実施例、事例、または例示として使用する」ことを意味するために使用される。本明細書で「例示的な」と説明されている態様は、必ずしも、他の態様よりも好ましい、または有利であると解釈されるべきではない。
【０１０５】
当業者であれば、情報および信号は、さまざまな異なる技術および技法を使用して表すことができることを理解するであろう。例えば、上の説明全体を通して参照されていると思われるデータ、命令、コマンド、情報、信号、ビット、シンボル、およびチップは、電圧、電流、電磁波、磁場または磁気粒子、光場または光粒子、これらの組み合わせにより表すことができる。
【０１０６】
さらに、当業者であれば、本明細書で開示されている態様に関して説明されているさまざまな例示的な論理ブロック、モジュール、回路、およびアルゴリズムステップは、電子ハードウェア、コンピュータソフトウェア、またはその両方の組み合わせとして実装することができることを理解するであろう。ハードウェアとソフトウェアとを入れ替えて使用できることを明確に例示するために、上では、さまざまな例示的なコンポーネント、ブロック、モジュール、回路、およびステップが、一般的にその機能に関して説明されている。このような機能がハードウェアまたはソフトウェアとして実装されるかどうかは、特定の用途およびシステム全体に課せられる設計制約条件によって決まる。当業者であれば、それぞれの特定の用途についてさまざまな方法により説明されている機能を実装することができるが、そのような実装決定は、本開示の範囲からの逸脱を引き起こすものとして解釈すべきではない。
【０１０７】
本明細書で開示されている態様に関して説明されているさまざまな例示的な論理ブロック、モジュール、回路は、集積回路（「ＩＣ」）、アクセス端末、またはアクセスポイント内に実装されるか、または実行されうる。ＩＣは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラム可能論理デバイス、ディスクリートゲートまたはトランジスタロジック、ディスクリートハードウェアコンポーネント、電気コンポーネント、光学コンポーネント、機械コンポーネント、または本明細書で説明されている機能を実行するように設計されているこれらの任意の組み合わせを備え、またＩＣの内部、ＩＣの外部、またはその両方に配置されているコードまたは命令を実行することができる。汎用プロセッサは、マイクロプロセッサであってよいが、代替えとして、プロセッサは、任意の従来のプロセッサ、コントローラ、マイクロコントローラ、または状態機械であってよい。プロセッサは、コンピューティングデバイスの組み合わせ、例えば、ＤＳＰとマイクロプロセッサの組み合わせ、複数のマイクロプロセッサ、ＤＳＰコアと連携する１つまたは複数のマイクロプロセッサ、または他のそのような構成として実装することもできる。
【０１０８】
本明細書で開示されている態様に関して説明されている方法またはアルゴリズムのステップは、ハードウェアで直接、プロセッサにより実行されるソフトウェアモジュールにより、またはこれら２つの組み合わせにより具現化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当業で知られている他の形態の記憶媒体に格納することができる。例示的な記憶媒体は、プロセッサがその記憶媒体から情報を読み込み、その記憶媒体に情報を書き込めるようにプロセッサに結合される。代替え形態では、記憶媒体は、プロセッサに一体化することができる。プロセッサおよび記憶媒体は、ＡＳＩＣに収めることもできる。ＡＳＩＣは、ユーザー端末またはユーザー装置（ＵＥ）に収めることができる。代替え実施形態では、プロセッサおよび記憶媒体は、ユーザー端末内のディスクリートコンポーネントとして配置することができる。プロセッサおよび記憶媒体も、本明細書で説明されたさまざまな形態でＮｏｄｅ  Ｂ内に配置されうる。さらに、本明細書で開示されている態様に関して説明されている方法またはアルゴリズムのステップは、コンピュータ可読媒体およびそのパッケージング材料を含む、コンピュータプログラム製品において具現化されうる。
【０１０９】
本明細書で開示されている態様に関して説明されている方法またはアルゴリズムのステップのシーケンスは、本発明の範囲から逸脱することなく互いに取り替えて使用できる。
【０１１０】
開示されている態様を前記のように提示したのは、当業者が開示を製作または使用することができるようにするためである。これらの態様に対しさまざまな修正を加えられることは、当業者にとっては明白であろうし、また本明細書で定義されている一般原理は、本開示の範囲から逸脱することなく他の態様にも適用することができる。したがって、本開示は、本明細書に示されている態様に限定されることを意図されておらず、本明細書で開示されている原理および新規性のある特徴と一致する最も広い範囲を適用されることを意図されている。
【図１】
2010501148.tif 000006
【図２】
2010501148.tif 000007
【図３】
2010501148.tif 000008
【図４】
2010501148.tif 000009
【図５】
2010501148.tif 000010
【図６】
2010501148.tif 000011
【図７】
2010501148.tif 000012
【図８】
2010501148.tif 000013
【図９】
2010501148.tif 000014
【図１０】
2010501148.tif 000015
【図１１】
2010501148.tif 000016
【図１２】
2010501148.tif 000017
【図１３】
2010501148.tif 000018
【国際調査報告】
2010501148.tif 000019
2010501148.tif 000020
2010501148.tif 000021